(57)【要約】【課題】  ユーザの利便性を向上させたアルバム作成システムを提供する。【解決手段】  システムは、複数の地点を巡回したユーザが撮像した画像データに基づいてアルバムを作成するためのもので、各地点に配置され、ユーザにより操作可能な撮像部と、ユーザを特定するためのユーザＩＤ情報を取得するためのＩＤ情報取得手段と、各地点に配置され、ＩＤ情報取得手段により取得したユーザＩＤ情報と撮像部で撮像された画像データとを対応付けて送信するための送信部と、各送信部から送信されたユーザＩＤ情報および画像データを受信するための受信部１９と、受信部で受信した画像データから特定のユーザＩＤ情報に関する画像データを抽出する画像選択部２４と、画像選択部で抽出された画像データからアルバムデータを作成するアルバム作成部２６と、を備える。【選択図】図３
2006202103.tif 000002
【特許請求の範囲】
【請求項１】
複数の地点を巡回したユーザが撮像した画像データに基づいてアルバムを作成するためのシステムにおいて、
各地点に配置され、ユーザにより操作可能な撮像部と、
上記ユーザを特定するためのユーザＩＤ情報を取得するためのＩＤ情報取得手段と、
各地点に配置され、ＩＤ情報取得手段により取得したユーザＩＤ情報と撮像部で撮像された画像データとを対応付けて送信するための送信部と、
各送信部から送信されたユーザＩＤ情報および画像データを受信するための受信部と、
受信部で受信した画像データから特定のユーザＩＤ情報に関する画像データを抽出する画像選択部と、
画像選択部で抽出された画像データからアルバムデータを作成するアルバム作成部と、
を備えたアルバム作成システム。
【請求項２】
各地点に配置され、配置された地点に固有の情報、および／または、上記複数の地点に共通の情報を提供する情報提供手段をさらに備えた請求項１記載のアルバム作成システム。
【請求項３】
各地点に配置され、撮像部で撮像した画像データに対応する画像を表示する表示部をさらに備え、
送信部は、表示部に表示された画像からユーザに選択させた画像に対応する画像データを、ＩＤ情報取得手段により取得したユーザＩＤ情報と対応付けて送信することを特徴とする請求項１記載のアルバム作成システム。
【請求項４】
各地点に配置され、対応する地点に関連し撮像部による撮像日時とは異なる時間に関する第２の画像データを蓄積するデータベースと、
各地点に配置され、撮像部で撮像した画像データに対応する画像およびデータベースに蓄積された第２の画像データに対応する画像を表示する表示部をさらに備え、
送信部は、表示部に表示された画像からユーザに選択させた画像に対応する画像データを、ＩＤ情報取得手段により取得したユーザＩＤ情報と対応付けて送信する、
ことを特徴とする請求項１記載のアルバム作成システム。
【請求項５】
各地点に関連し撮像部による撮像日時とは異なる時間に関する第２の画像データを画像ＩＤ情報に対応付けて蓄積する第１のデータベースと、
各地点に配置され、第２の画像データに含まれ対応する地点に関連する第３の画像データを画像ＩＤ情報に対応付けて蓄積する第２のデータベースと、
各地点に配置され、撮像部で撮像した画像データに対応する画像および第２のデータベースに蓄積された第３の画像データに対応する画像を表示する表示部をさらに備え、
送信部は、表示部に表示された画像からユーザに選択させた画像に対応する、撮像画像データおよび／または第３の画像データに対応付けられた画像ＩＤ情報を、ＩＤ情報取得手段により取得したユーザＩＤ情報と対応付けて送信し、
画像選択部は、受信部で受信した撮像画像データから特定のユーザＩＤ情報に関する画像データを抽出、および／または、第１のデータベースに蓄積された第２の画像データから受信部で受信した画像ＩＤ情報に対応付けられた画像データを抽出する、
ことを特徴とする請求項１記載のアルバム作成システム。
【請求項６】
各送信部は、ＩＤ情報取得手段により取得したユーザＩＤ情報および撮像部で撮像された画像データに加えて、撮像日時および／または対応する地点を特定する地点ＩＤ情報を送信し、
アルバム作成部は、画像選択部で抽出した画像データに加えて撮像日時および／または地点ＩＤ情報に基づいて、アルバムデータを作成する、
ことを特徴とする請求項１記載のアルバム作成システム。
【請求項７】
ＩＤ情報取得手段は、
ユーザに携帯させる無線送信装置であって、ユーザＩＤ情報に対応し該装置を特定するための装置ＩＤ情報を示す信号を発信するものと、
各地点に配置され、ユーザが所定の受信エリアに位置する際に該ユーザが携帯する無線送信装置からの上記信号を受信する無線受信部と、
を備えることを特徴とする請求項１〜６のいずれか一つに記載のアルバム作成システム。
【請求項８】
ＩＤ情報取得手段は、
各地点に配置され、ユーザのバイオメトリックス情報をユーザＩＤ情報として取得するバイオメトリックス情報取得部を備えることを特徴とする請求項１〜６のいずれか一つに記載のアルバム作成システム。
【請求項９】
ＩＤ情報取得手段は、
各地点に配置され、ユーザによりユーザＩＤ情報を入力可能にした入力部を備えることを特徴とする請求項１〜６のいずれか一つに記載のアルバム作成システム。
【請求項１０】
アルバム作成部で作成したアルバムデータまたはアルバムデータに関連する情報をネットワークを介して端末に送信するアルバム送信部をさらに備えた請求項１〜９のいずれか一つに記載のアルバム作成システム。
【請求項１１】
複数の地点を含む地域を複数訪問したユーザが撮像した画像データに基づいてアルバムを作成するためのシステムであって、
各地域において、
各地点に配置され、ユーザにより操作可能な撮像部と、
上記ユーザを特定するためのユーザＩＤ情報を取得するためのＩＤ情報取得手段と、
各地点に配置され、ＩＤ情報取得手段により取得したユーザＩＤ情報と撮像部で撮像された画像データとを対応付けて送信するとともに、撮像日時および／または対応する地点を特定する地点ＩＤ情報を送信する第１の通信ユニットと、
各第１の通信ユニットから送信されたユーザＩＤ情報および画像データ、並びに、撮像日時および／または地点ＩＤ情報を受信するための第２の通信ユニットと、
第２の通信ユニットで受信した画像データから特定のユーザＩＤ情報に関する画像データを抽出する画像選択部と、
画像選択部で抽出された画像データに加えて、撮像日時および／または地点ＩＤ情報に基づいてアルバムデータを作成するアルバム作成部と、
各撮像部で撮像された画像データ、撮像日時、および／または地点ＩＤ情報に基づいて、ユーザの嗜好情報を導出する嗜好解析部であって、第２の通信ユニットが、嗜好解析部により導出されたユーザの嗜好情報をユーザＩＤ情報とともに異なる地域に配置された第２の通信ユニットに送信、および／または、異なる地域に配置された嗜好解析部により導出されたユーザの嗜好情報をユーザＩＤ情報とともに異なる地域に配置された第２の通信ユニットから受信するものと、
第２の通信ユニットで受信した嗜好情報に基づいてユーザＩＤ情報に対応付けた経路情報を作成する経路情報作成部であって、経路情報が第２の通信ユニットから第１の通信ユニットに送信されるものと、
各地点に配置され、ＩＤ情報取得手段があるユーザＩＤ情報を取得すると該ユーザＩＤ情報に対応付けられ第１の通信ユニットが受信した経路情報を表示する表示部と、
を備えたアルバム作成システム。
【請求項１２】
複数の地点を巡回したユーザに提供するアルバムを作成するためのシステムにおいて、
各地点に配置された無線送信装置であって、該装置を特定するための装置ＩＤ情報を示す信号を発信するものと、
ユーザに携帯させる携帯端末であって、無線送信装置が所定の受信エリアに位置する際に無線送信装置からの上記信号を受信する第１の無線受信部、および、装置ＩＤ情報とともに携帯端末を特定する端末ＩＤ情報を送信する無線送信部、を内蔵するものと、
各地点に関する画像データを装置ＩＤ情報と対応付けて蓄積するためのデータベースと、
無線送信部から送信された装置ＩＤ情報および端末ＩＤ情報を受信する第２の無線受信部と、
データベースに蓄積した画像データから、第２の無線受信部で受信した装置ＩＤ情報および特定の端末ＩＤ情報に基づいて画像データを抽出する画像選択部と、
画像選択部で抽出された画像データからアルバムデータを作成するアルバム作成部と、
を備えたアルバム作成システム。
【請求項１３】
携帯端末は、各地点に固有の情報を装置ＩＤ情報に対応付けて蓄積する情報蓄積部、および、第１の無線受信部で受信した信号に基づいて情報蓄積部に蓄積された情報を表示する表示部をさらに備えることを特徴とする請求項１２記載のアルバム作成システム。
【請求項１４】
複数の地点を巡回したユーザが撮像した画像データに基づいてアルバムを作成するためのシステムにおいて、
各地点内に配置された一つまたはそれ以上の無線送信装置であって、該装置を特定するための装置ＩＤ情報を示す信号を発信するものと、
ユーザに携帯させる携帯端末であって、無線送信装置が所定の受信エリアに位置する際に無線送信装置からの上記信号を受信する第１の無線受信部、並びに、装置ＩＤ情報および携帯端末を特定する端末ＩＤ情報を送信する無線送信部、を内蔵するものと、
各地点に配置された固定端末であって、ユーザにより操作可能な撮像部と、無線送信部から送信された端末ＩＤ情報および装置ＩＤ情報を受信する第２の無線受信部、所定の情報を装置ＩＤ情報と対応付けて蓄積する情報蓄積部、第２の無線受信部で受信した装置ＩＤ情報に基づいて情報蓄積部に蓄積された上記所定の情報をユーザに提供する情報提供手段、並びに、端末ＩＤ情報と撮像部で撮像された画像データとを対応付けて送信するための送信部と、を備えたものと、
各固定端末の送信部から送信された端末ＩＤ情報および画像データを受信するための受信部と、
受信部で受信した画像データから特定の端末ＩＤ情報に関する画像データを抽出する画像選択部と、
画像選択部で抽出された画像データからアルバムデータを作成するアルバム作成部と、
を備えたアルバム作成システム。
【請求項１５】
複数の地点を巡回したユーザに提供するアルバムを作成するためのシステムにおいて、
各地点内に配置された一つまたはそれ以上の無線送信装置であって、該装置を特定するための装置ＩＤ情報を示す信号を発信するものと、
ユーザに携帯させる携帯端末であって、無線送信装置が所定の受信エリアに位置する際に無線送信装置からの上記信号を受信する第１の無線受信部、並びに、装置ＩＤ情報および携帯端末を特定する端末ＩＤ情報を送信する無線送信部、を内蔵するものと、
各地点に配置された固定端末であって、無線送信部から送信された端末ＩＤ情報および装置ＩＤ情報を受信する第２の無線受信部、所定の情報を装置ＩＤ情報と対応付けて蓄積する情報蓄積部、第２の無線受信部で受信した装置ＩＤ情報に基づいて情報蓄積部に蓄積された上記所定の情報をユーザに提供する情報提供手段、並びに、端末ＩＤ情報および地点を特定する地点ＩＤ情報を送信する送信部、を備えたものと、
各地点に関する画像データを地点ＩＤ情報と対応付けて蓄積するためのデータベースと、
各固定端末の送信部から送信された端末ＩＤ情報および地点ＩＤ情報を受信する受信部と、
データベースに蓄積した画像データから、受信部で受信した端末ＩＤ情報および地点ＩＤ情報に基づいて、特定の端末ＩＤ情報に関する画像データを抽出する画像選択部と、
画像選択部で抽出された画像データからアルバムデータを作成するアルバム作成部と、
を備えたアルバム作成システム。
【発明の詳細な説明】
【技術分野】
【０００１】
本発明は、複数の地点（例えば観光スポット）を巡回しながらユーザが撮像した画像データからアルバムを作成するアルバム作成システムに関する。
【背景技術】
【０００２】
従来、観光地などでユーザが撮像した画像データに基づいてアルバムを作成するシステムが種々提案されている。例えば、特許文献１には、撮像部を有する携帯型装置（携帯装置）により得られた画像を、観光地に関連した関連画像や撮像時の観光地の気象条件および／または時節情報に応じた関連画像と合成してアルバム画像を生成するアルバム作成支援システムが開示されている。このシステムでは、携帯装置が観光地に配置されたマルチメディア端末装置に対し所定の範囲内に入るか否か（すなわち、ユーザが実際に観光地に到着したか否か）に基づいて、携帯装置による撮像を許可または禁止する制御情報をマルチメディア端末装置から携帯装置に送信する。上記システムでは、制御情報を受けて撮像部による撮像の許可または禁止を判定する判定部をユーザに携帯させる携帯装置に設ける必要があり、携帯装置の構成が複雑である。
【特許文献１】特開２００３−３２５８９号公報
【発明の開示】
【発明が解決しようとする課題】
【０００３】
本発明は、複数の地点を巡回するユーザに携帯させる携帯装置を簡単化または省略化し、併せてユーザの利便性を向上させた新規なアルバム作成システムを提供することを目的とする。
【課題を解決するための手段】
【０００４】
上記目的を達成するために、本発明に係るアルバム作成システムの一態様は、
複数の地点を巡回したユーザが撮像した画像データに基づいてアルバムを作成するためのシステムにおいて、
各地点に配置され、ユーザにより操作可能な撮像部と、
上記ユーザを特定するためのユーザＩＤ情報を取得するためのＩＤ情報取得手段と、
各地点に配置され、ＩＤ情報取得手段により取得したユーザＩＤ情報と撮像部で撮像された画像データとを対応付けて送信するための送信部と、
各送信部から送信されたユーザＩＤ情報および画像データを受信するための受信部と、
受信部で受信した画像データから特定のユーザＩＤ情報に関する画像データを抽出する画像選択部と、
画像選択部で抽出された画像データからアルバムデータを作成するアルバム作成部と、
を備えることを特徴とする。
【発明の効果】
【０００５】
本発明の一態様によれば、撮像を行ったユーザを特定するユーザＩＤ情報を取得し、ユーザＩＤ情報と撮像画像データを対応付けることで、特定のユーザに関する画像データに基づくアルバムデータを作成することができる。ユーザは、撮像手段を携帯する必要がなくユーザの利便性が向上する。ユーザＩＤ情報取得手段を、例えば、ユーザに携帯させる無線送信装置（例えばＲＦＩＤタグ）と各地点（例えば観光スポット）に設置する無線受信装置で構成すれば、ユーザは簡易な構成の無線送信装置を携帯して各地点を巡回するだけでアルバムを取得できる。
【発明を実施するための最良の形態】
【０００６】
以下、添付図面を参照して本発明の実施の形態について説明する。以下の説明では、複数の観光スポットを含む観光地をユーザが巡回しながら観光スポットで撮像した画像データに基づいてアルバムを作成する例を説明する。しかしながら、本発明は観光への利用に限定されるものではなく、複数の地点を含む地域（区域、領域）をユーザが巡回しながら画像データを撮像するものであれば他の種々の目的（例えば、美術館、自然観察地など各地点に提示物が配置された空間を巡回しながらの学習）で利用することが可能である。
【０００７】
実施の形態１．
図１は、本発明に係るアルバム作成システムの実施の形態１を示す。このアルバム作成システム２は、概略、ユーザ（観光者）が携帯する携帯装置４と、観光地の各観光スポットＳ（図の例では、Ｓ−１〜Ｓ−Ｍ：Ｍは２以上の整数）に配置された固定端末６（図の例では、６−１〜６−Ｍ）と、これら固定端末６と無線または有線のネットワークＮ（例えばインターネット、無線ＬＡＮなど）を介して接続されたサーバ８と、を備える。なお、本実施形態では、各観光スポットＳに設置する固定端末６は一台とするが、複数台設置してもよい。
【０００８】
携帯装置４は、ＲＦＩＤ(radio frequency identification)タグからなる無線送信装置で、携帯装置４のＩＤ情報（携帯装置４を特定するための情報で、本願では装置ＩＤ情報ともいう。）を示す信号を発信するようになっている。携帯装置４のＩＤ情報は、携帯者を特定するためのユーザＩＤ情報に対応する。携帯装置４は、例えば、現地（観光地）で観光者から各種情報を得てユーザ登録を行った後、ユーザに提供してもよいし、観光地を訪問する前に事前にインターネットなどを利用してユーザ登録を行ったユーザに提供してもよい。
【０００９】
図２に示すように、固定端末６は、制御部９、無線受信部１０、撮像部１２、管理部１４、および送信部１６を備える。
【００１０】
制御部９は、無線受信部１０、撮像部１２、管理部１４、および送信部１６と接続され、固定端末６全体を制御し各種制御信号を作成するためのものである。
【００１１】
無線受信部１０は、携帯装置（無線送信装置）４に対応したリーダで、携帯装置を携帯する観光者が所定の受信エリア１７（図１の例では、１７−１〜１７−Ｍ）に位置する際に携帯装置から装置ＩＤ情報（上述したように、携帯者のユーザＩＤ情報に対応）を示す信号を受信するようになっている。このように、携帯装置４および無線受信部１０は、携帯装置４を携帯する観光者を特定するためのユーザＩＤ情報を取得するためのＩＤ情報取得手段として機能する。
【００１２】
撮像部１２は、観光者によって操作可能に構成されたパン、チルト、および／またはズーム可能なカメラユニットであり、制御部９からの制御信号を受けて静止画像データおよび／または動画像データを撮像できるように構成されている。撮影者は、同行者を含む画像または風景のみの画像を撮影する場合には、固定端末６に設置されたボタンなどの入力部（図示せず）を介して撮影を行う。この場合、制御部９は、撮像画像データを、無線受信部１０が携帯装置４から装置ＩＤ情報を示す信号を受信することにより、装置ＩＤ情報と対応付けて管理部（記憶部）１４に記憶するようになっている。固定端末６にタイマー撮像機能を持たせ（すなわち、制御部９が観光者から撮像指令を受けて所定時間経過後に撮像部１２による撮像を行うようにし）、これにより、携帯装置４を携帯する観光者を含む画像が取得できるようにしてもよい。但し、観光スポットに多数の観光者がいる場合にも撮像画像データと携帯装置４のＩＤ情報を確実に対応付けるために、撮像指令を携帯装置４を介して固定端末６の無線受信部１０に送出できるようにするのが好ましい。例えば、携帯装置４をアクティブ型のＲＦＩＤタグとし、ＲＦＩＤタグから撮像指令が送信できるように構成したり、携帯装置４をパッシブ型のＲＦＩＤタグとし、固定端末６（無線受信部１０）の位置とＲＦＩＤタグとの位置の間で観光者が手などの障害物を所定のタイミングで振るなどすると、制御部９が撮像部１２を制御して自動撮像が行われるようにする。このような構成は、観光スポットに他の観光者（観光グループ）がいない場合において、携帯装置４を携帯する観光者を含む画像の取得を遠隔操作により行うのにも適している。観光者による遠隔撮像指令は、携帯装置４を利用する代わりに、観光者の声、動作（例えば、手を振る）などを利用したものでもよい。
【００１３】
管理部１４は、メモリやクロック等を備え、撮像部１２で撮像した画像データ、撮像日および／または時刻（本願では、撮像日時という。）、撮像された画像データと対応付けた装置ＩＤ情報、などを管理（記憶）するためのものである。管理部１４はまた、固定端末６のＩＤ情報（これは、固定端末６が配置された地点（観光スポット）に対応した情報で、本願では地点ＩＤ情報ともいう。）を管理するようになっている。
【００１４】
送信部１６は、管理部１４に管理された、撮像画像データ、撮像日時、固定端末６のＩＤ情報、および携帯装置４のＩＤ情報をサーバ８に送信するようになっている。送信部１６による送信は、例えば、撮像画像データが得られる毎に行われるようにしてもよいし、観光者が観光スポットＳすなわち無線受信部１０の受信エリア１７から離れた時点で行われるようにしてもよい。
【００１５】
サーバ８は、観光地に設置されるもので、図３に示すように、制御部１８、受信部１９、全体管理部２０、無線受信部２２、画像選択部２４、アルバム作成部２６、およびアルバム出力部２８を備える。
【００１６】
制御部１８は、受信部１９、全体管理部２０、無線受信部２２、画像選択部２４、アルバム作成部２６、およびアルバム出力部２８と接続され、サーバ８全体を制御し各種制御信号を作成するためのものである。
【００１７】
受信部１９は、各固定端末６からネットワークＮを介して撮像画像データ、撮像日時、固定端末６のＩＤ情報、および携帯装置４のＩＤ情報を受信するためのものである。
【００１８】
制御部１８は、受信部１９が各固定端末６から撮像画像データ等を受信する毎に、これらを全体管理部２０に記憶するようになっている。したがって、観光者が観光スポットＳを巡回すると、該観光者が観光スポットで撮像した各画像データが全体管理部２０に管理されることになる。全体管理部２０はまた、各固定端末６が配置された観光スポットＳに関連する情報（名称（場所名）、歴史などの詳細説明）を管理するようになっている。
【００１９】
無線受信部２２は、無線受信部１０と同様に携帯装置４に対応したリーダで、携帯装置を携帯する観光者がサーバ８の設置地点の所定の受信エリアに位置する際に携帯装置からＩＤ情報を示す信号を受信するようになっている。このとき、制御部１８は、携帯装置４のＩＤ情報（すなわち観光者の到着を示す情報）を画像選択部２４に送出するようになっている。
【００２０】
画像選択部２４は、全体管理部２０で管理された画像データから特定の観光者について画像データ（通常複数）を抽出するためのもので、制御部１８から携帯装置４のＩＤ情報を受けると、対応する画像データを撮像日時および撮像を行った固定端末６のＩＤ情報とともにアルバム作成部２６に送出するようになっている。
【００２１】
アルバム作成部２６は、特定の観光者が携帯する携帯装置４のＩＤ情報に対応付けられた、複数の画像データ、各画像データの撮像日時、および撮像を行った固定端末６のＩＤ情報を受けると、全体管理部２０に管理された固定端末６のＩＤ情報に対応付けた観光スポットに関連する情報を参照して、アルバムデータを作成（言い換えればアルバムを編集）するようになっている。
【００２２】
アルバムの例を図４に示す。図（ａ）の例は、画像を観光スポットの場所名および撮影日時とともに配置するとともに、これらの画像の撮影順を表す矢印を示したものである。図（ｂ）の例は、画像を単に並べたものである。各画像の近傍に観光スポットの場所名および／または撮影日時を追加してもよい。図（ｃ）の例は、観光地の地図を台紙（背景）とし、各観光スポットの場所に対応する台紙上の位置に各画像を配置する。画像の撮影順を表す矢印を追加してもよい。図（ｃ）の例の場合、全体管理部２０は、各観光スポットの位置情報を含む観光地の地図データを有する必要がある。
【００２３】
アルバム出力部２８は、アルバム作成部２６で作成したアルバムデータに基づいて観光者に提供するアルバムを出力するためのものである。アルバム出力部２８は、例えば、ＣＤ―Ｒ、ＤＶＤ等の記憶媒体に電子データとして記録する記録装置でもよいし、画像データを紙に印刷する画像形成装置（例えばプリンタ）でもよい。
【００２４】
かかる構成を備えたアルバム作成システム２において、携帯装置４を携帯した観光者が観光スポットＳに配置された固定端末６の近傍に来ると、該端末の無線受信部１０は、携帯装置４からＩＤ情報を示す信号を受信する。この状態で、観光者が撮像部１２を利用して撮像を行うと、携帯装置４のＩＤ情報と対応付けた画像データが、撮像日時とともに管理部１４に記憶される。送信部１６は、画像データ、携帯装置４のＩＤ情報、撮像日時とともに、固定装置６のＩＤ情報をネットワークＮを介してサーバ８に送信する。
【００２５】
このようにして観光者が所望の観光スポットＳで撮像部１２を利用して撮像を行うと、各観光スポットで撮像された画像データは、携帯装置４のＩＤ情報、撮像日時、および固定端末６のＩＤ情報とともに、サーバ８の全体管理部２０に記憶されることになる。
【００２６】
観光者が各観光スポットＳを巡回し観光地の観光を終えてサーバ８が設置された地点に到着すると、サーバの無線受信部２２は、携帯装置４からＩＤ情報を示す信号を受信する。その結果、制御部１８は、携帯装置４のＩＤ情報を画像選択部２４に送出する。画像選択部２４は、全体管理部２０を参照し、装置ＩＤ情報に対応付けられた、複数の画像データ、各画像データの撮像日時、および撮像を行った固定端末６のＩＤ情報をアルバム作成部２６に送出する。そして、アルバム作成部２６は、携帯装置４のＩＤ情報に対応付けた、複数の画像データ、各画像データの撮像日時、および撮像行った固定端末６のＩＤ情報を受けると、全体管理部２０に管理された固定端末６のＩＤ情報に対応付けた観光スポットに関連する情報を参照して、アルバムデータを作成する。最後に、アルバムデータ出力部２８は、アルバム作成部２６で作成したアルバムデータに基づいてアルバムを出力し、観光者はアルバムを受け取ることになる。
【００２７】
本実施形態によれば、簡易な構成を有するＲＦＩＤタグ（無線送信装置）４を観光者に携帯させるだけで、観光スポットの画像を含むアルバムを観光者に提供できる。
【００２８】
本実施形態では、観光者を特定するためのユーザＩＤ情報を取得するためのＩＤ情報取得手段としてＲＦＩＤタグおよびそのリーダを用いたが、ＲＦＩＤタグの代わりに非接触ＩＣカードなど他の無線送信装置を用いてもよい。あるいは、観光者が非接触ＩＣカードを内蔵した携帯電話を所有していれば、固定端末６の無線受信部１０およびサーバ８の無線受信部２２として上記ＩＣカードのＩＤを読み取れるように構成することで、観光者に携帯装置（無線送信装置）を予め配布するのを省略することが可能である。
【００２９】
本実施形態では、サーバ８の設置地点でアルバムを観光者に提供するようにしたが、代わりに、アルバム出力部２８をメール送信部（アルバム送信部）とし、観光者に予め端末のメールアドレスを登録させ該アドレスを携帯装置４のＩＤ情報に対応付けて全体管理部２０に管理させておき、アルバム作成部２６で作成したアルバムデータを添付したメールをネットワークを介して上記端末に送るようにしてもよい。代わりに、アルバムデータを添付せずにアルバムデータに関連する情報のみ（例えばアルバムデータが保存されるＵＲＬなどで、この場合、ユーザの個人情報（例えば暗証番号）を用いて本人確認を行う。）を端末に送るようにしてもよい。メールを利用する場合、観光者はアルバムを取りにサーバ８の設置地点に行く必要がなく、観光者の利便性が向上する。また、この場合、サーバ８は観光地に設置する必要はない。なお、観光者にアルバムを出力して提供する場合においてもサーバ８を観光地以外に設置することが可能であるが、観光者の利便性を考慮するとサーバ８を観光地に設置するのが好ましい。
【００３０】
また、本実施形態では、サーバ８の無線受信部２２により特定の観光者が携帯する携帯装置４のＩＤ情報を受信した後で、画像選択部２４により全体管理部２０に蓄積された複数の観光者に関する画像データから上記特定の観光者についての画像データを抽出するようにしたが、各固定端末６から撮像画像データ、撮像日時、固定端末６のＩＤ情報、および、携帯装置４のＩＤ情報を受信する毎に、制御部９は、携帯装置４のＩＤ情報に対応付けて、画像データ、撮像日時、および固定端末６のＩＤ情報を全体管理部２０に個別（すなわち観光者毎）に管理させるようにしてもよい。この場合、制御部９が画像選択部として機能するため画像選択部２４を省略し、アルバム作成部２６は、制御部１８から携帯装置４のＩＤ情報を受けると全体管理部２０を参照し、対応する画像データ、撮像日時、および固定端末６のＩＤ情報に基づいてアルバムを作成する。
【００３１】
さらに、観光者がこれ以上他の観光スポットを訪問することがないと判断できるような場合（例えば、観光地にある全ての固定端末６から画像データが送られた場合）、サーバ８によるアルバムの作成処理を開始し、観光者がサーバ８に到着して直ぐにアルバムを提供できるようにしてもよい。
【００３２】
加えて、全体管理部２０に、携帯装置４のＩＤ情報に対応付けて観光者の個人情報（例えば名前、暗証番号などで、本願においてユーザＩＤ情報とは異なる。）を管理させ、アルバム作成部２６は、アルバム作成時に、全体管理部２０に管理された観光者の個人情報を参照してアルバムデータを作成するようにしてもよい。この場合、アルバムデータに観光者の名前などの個人情報が含まれることになる。
【００３３】
実施の形態２．
図５は、本発明に係るアルバム作成システムの実施の形態２において、各観光スポットに配置された固定端末を示す。以下の説明では、実施の形態１と同一または類似の構成要素は、同一の符号または同一の符号に適当な添字を付して表す。本実施形態に係るアルバム作成システムの固定端末６Ａは、実施の形態１に係るアルバム作成システム２の固定端末６の構成に加えて、表示部３０を備えている。本実施形態に係るアルバム作成システムのサーバは、図２に示すサーバ８と同一の構成を備える。表示部３０は、モニタやＶＲＡＭなどを備え、固定端末６Ａが配置された観光スポットに関連する情報（該観光スポットに固有の情報で、例えば歴史や他の観光スポットまでの経路）や観光地の情報（各観光スポットで共通の情報で、例えば観光スポット間の経路情報）を含む観光情報、および／または、撮像部１２で撮像した画像データに対応する画像を表示するようになっている。表示部３０に観光情報を表示するために、管理部１４Ａには観光情報が管理されており、制御部９は、管理部１４Ａに管理された観光情報（観光データ）を表示部に送出するようになっている。固定端末６Ａは、例えばタッチパネルなどの入力部（図示せず）を備え、これにより観光者は表示部３０に表示された画像を選択できるようになっている。送信部１６は、携帯装置４のＩＤ情報および固定端末６ＡのＩＤ情報とともに、選択部を介して選択された画像に対応する画像データ、該画像データの撮像日時をサーバに送信するようになっている。
【００３４】
かかる構成によれば、表示部３０にアルバム作成候補となる画像を表示させ、観光者に適切な画像を選択させること（言い換えれば、各画像をアルバムに使用するか否かを選択させること）により、観光者の望まない画像を削除でき、その結果、観光者の嗜好に合ったアルバムを作成できる。また、観光者に表示部３０を介して観光情報を提供することにより、複数の観光スポットを巡回する観光者の利便性を向上させることができる。
【００３５】
観光者に観光情報を提供する手段として、表示部３０の代わりに音声出力部（例えばスピーカ）を用いてもよい。この場合、管理部１４Ａに音声データを管理させる。
【００３６】
実施の形態３．
図６，７はそれぞれ、本発明に係るアルバム作成システムの実施の形態３において各固定端末およびサーバを示す。上記実施形態では、観光者に携帯させた携帯装置のＩＤ情報（したがってユーザＩＤ情報）を無線を介して取得することにより、ユーザＩＤ情報と撮像画像データを対応付けたが、本実施形態は、観光者のバイオメトリックス情報（例えば指紋や顔など）をユーザＩＤ情報として利用し、ユーザＩＤ情報と撮像画像データを対応付けるようにしたものである。
【００３７】
具体的に、各固定端末６Ｂは、無線受信部１０の代わりに、観光者のバイオメトリックス情報を入力する（言い換えればバイオメトリックス情報を取得する）ための入力部３２を備える。バイオメトリックス情報入力部３２は、入力されたバイオメトリックス情報をデジタルデータとして送出し、制御部９は、該データを管理部１４Ｂに記憶させるようになっている。制御部９はまた、撮像部１２により撮像が行われると、撮像画像データ、撮像日時をバイオメトリックス情報と対応付けて管理部１４Ｂに管理させるようになっている。撮像画像データとバイオメトリックス情報との対応付けする方法は種々考えられる。一例として、観光者がバイオメトリックス情報を入力部３２を介して入力してから所定の時間内に撮像が行われた場合に、撮像画像データとバイオメトリックス情報を対応付ける。送信部１６は、所定のタイミングで、管理部１４Ｂに管理されたバイオメトリックス情報、撮像画像データ、撮像日時、および固定端末のＩＤ情報をサーバ８Ｂに送信するようになっている。これらのデータ、情報は、サーバ８Ｂの受信部１９で受信され、全体管理部２０に記憶されることになる。
【００３８】
サーバ８Ｂは、無線受信部２２の代わりに、観光者のバイオメトリックス情報を入力するための入力部３４を備える。バイオメトリックス情報入力部３４は、入力されたバイオメトリックス情報をデジタルデータとして送出し、制御部１８は、該データを画像選択部２４Ｂに送出するようになっている。
【００３９】
画像選択部２４Ｂは、実施の形態１と異なり、入力部３４を介して入力されたバイオメトリックス情報を、全体管理部２０に管理されたバイオメトリックス情報と照合するようになっている。照合は、公知のバイオメトリックス認証技術を用いて行われる。画像選択部２４Ｂは、全体管理部２０に管理され入力部３４を介して入力されたバイオメトリックス情報に対応するバイオメトリックス情報を選択し、該情報に対応付けられた複数の画像データ、各画像データの撮像日時および撮像を行った固定端末６のＩＤ情報をアルバム作成部２６に送出する。アルバム作成部２６は、バイオメトリックス情報に対応付けた、複数の画像データ、各画像データの撮像日時、および撮像を行った固定端末６のＩＤ情報を受けると、全体管理部２０に管理された固定端末６のＩＤ情報に対応付けた観光スポットに関連する情報を参照して、アルバムデータを作成する。
【００４０】
本実施形態によれば、ユーザに携帯装置を携帯させることなく撮像画像データとユーザＩＤ情報の対応付けが行え、したがってユーザの利便性が向上する。
【００４１】
なお、各固定端末６Ｂおよびサーバ８Ｂで入力されるバイオメトリックス情報は通常１種類（例えば指紋のみ）のみ使用されるが、サーバ側で２種類以上入力できるようにすれば、固定端末で異なるバイオメトリックス情報を入力できるようにしてもよい。また、実施の形態１で説明したようにアルバムデータをメールに添付してユーザ端末に送る場合、該ユーザのバイオメトリックス情報を予め取得しておき（例えば、最初に訪問した観光スポットの固定端末６Ｂで、ユーザにバイオメトリックス情報を入力部３４を介して入力させるとともにメールアドレスを固定端末６Ｂに設けた別の入力部（図示せず）を介して入力させる。この場合、使用するバイオメトリックス情報は１種類のみが好ましい。）、メールアドレスをバイオメトリックス情報に対応付けて全体管理部２０に管理させておく必要がある。
【００４２】
実施の形態４．
図８，９はそれぞれ、本発明に係るアルバム作成システムの実施の形態４において各固定端末およびサーバを示す。実施の形態１では、撮像画像データと対応付けを行うべきユーザＩＤ情報を取得するためのＩＤ情報取得手段として、観光者に携帯させる携帯装置（無線送信装置）４および固定端末６に設けた無線受信部１０を用いた。本実施形態は、固定端末６Ｃに無線受信部１０の代わりにキーボード、キーパッドなどの入力部４０を設け、観光者が入力部３４を介してユーザＩＤ情報（例えば英数字）を入力することで観光者と撮像画像データとの対応付けを行うようになっている。撮像画像データとユーザＩＤ情報との対応付けする方法は種々考えられる。一例として、観光者がユーザＩＤ情報を入力部３４を介して入力してから所定の時間内に撮像が行われた場合に、撮像画像データと入力ＩＤ情報を対応付ける。サーバ８Ｃ側も無線受信部２２の代わりにユーザＩＤ情報を入力するための入力部４２を設ける。
【００４３】
本実施形態によれば、ユーザに携帯装置を携帯させることなく撮像画像データとユーザＩＤ情報とを対応付けが行え、したがってユーザの利便性が向上する。
【００４４】
入力部４０，４２を介して入力されるユーザＩＤ情報は予め登録しておかなくても、固定端末６Ｃ間で同じユーザＩＤ情報を用いる限り観光者と複数の撮像画像データを対応付けることが可能であるが、ユーザＩＤ情報を予め登録しておくとともに、登録されていないユーザＩＤ情報が入力部４０を介して入力された場合にエラーを観光者に通知するようにすることで、観光者と撮像画像データとの対応付けを確実に行うようにするのが好ましい。
【００４５】
実施の形態５．
図１０，１１はそれぞれ、本発明に係るアルバム作成システムの実施の形態５において各固定端末およびサーバを示す。本実施形態に係るアルバム作成システムは、実施の形態２に係るアルバム作成システムに類似しているが、過去の画像をアルバムに加える機能をさらに備えている。過去の画像とは、現在（撮像時点）より以前の画像であり、例えば、現在が城跡である観光スポットであれば、城そのもの画像や城が存在した時代の画像であり、通常は静止画像である。なお、過去の画像は、現在と比べて変化の大きい画像であることが望ましい。
【００４６】
具体的に、各固定端末６Ｄの表示部３０Ｄには、観光者が撮像した画像データに対応する画像とともに過去の画像が表示されるようになっている。この目的のため、固定端末６Ｄの管理部１４Ｄは、対応する観光スポットに関連する過去の画像データを管理している。言い換えれば、管理部１４Ｄは、観光スポットに関連し撮像部１２による撮像日時の以前の時間に関する画像データを蓄積するデータベースとして機能する。観光者は、実施の形態２と同様に希望する画像を選択することになるが、観光者は、自分で取得した画像のみを選択したり、該画像と過去の画像の両方を選択したり、過去の画像のみを選択できるようになっている。送信部１６は、観光者が選択した現在または過去のみに関する画像に対応する画像データ並びに／若しくは選択した現在および過去のペアに関する画像に対応する画像データを、携帯装置４のＩＤ情報、撮像日時、および固定端末６ＤのＩＤ情報とともにサーバ８Ｄに送信するようになっている。画像データ、携帯装置４のＩＤ情報、撮像日時、および固定端末６ＤのＩＤ情報は、サーバ８Ｄの全体管理部２０に記憶されることになる。サーバ８Ｄのアルバム作成部２６Ｄは、アルバム作成部２６と異なり、画像選択部２４が無線受信部２２から携帯装置４のＩＤ情報を受けて該情報に対応付けられた画像データを撮像日時および撮像を行った固定端末６のＩＤ情報とともに送出すると、選択した画像の種類（現在および／または過去の画像）に応じた編集を行うようにしてある。具体的に、画像データが現在のものに関するのみ、あるいは、過去に関するもののみであれば、該画像データをそのままアルバムに利用する。画像データが現在および過去に関するものであれば、現在の画像に人物（観光者および／または同行者）が写っているか否かで編集方法を変更する。例えば図１２を参照して、現在の画像（例えば城跡）が人物の写っていない背景画像である場合［図（ａ）］、現在の画像および過去の画像（例えば城）の両方をアルバムに利用する［図（ｂ）］。現在の画像が人物の写っている画像の場合［図（ｃ）］、現在の画像の人物のみを切り出して背景を過去の画像として合成した画像［図（ｄ）］をアルバムに利用する。
【００４７】
人物の切り出し方法は種々考えられる。例えば、制御部９は、人物画像に関する画像データを撮像する前または後に人物が入っていない背景画像に関する画像データを自動的に撮像するよう撮像部１２を制御するとともに、所定の画像処理を行う画像処理部を固定端末６Ｄに設ける。画像処理部は、人物の入っていない背景画像が得られたら、背景画像と人物画像との差分画像を取得する。観光者が人物画像とともに過去の画像をアルバムに含めることを望む場合、差分画像に対応する画像データがサーバ８Ｄに送信されることになる。人物を含まない背景画像を得るための方法としては、例えば、画像データを撮像部１２に２つ自動撮像させて、画像処理部で２つの画像データが実質的に同じであるか否かを判定させ、２つの画像データが実質的に同じであれば該画像データを背景に関する画像データとする。異なっていれば撮影対象となる人物またはノイズ（例えば、他の人物や車など）が入ったものとして再度画像データを２つ自動撮像し、画像処理部で２つの画像データが実質的に同じであるか否かを判定させる。
【００４８】
本実施形態によれば、現在の画像のみでなく撮像がされる日時より以前の過去の画像を利用することで、観光者の種々の好みに対応したアルバムを作成できる。
【００４９】
本実施形態では、過去に関する画像に対応する画像データは、固定端末６Ｄからサーバ８Ｄに送信されるようにしている。代わりに、サーバ８Ｄの全体管理部２０に、固定端末６Ｄが配置された各観光スポットに関する過去の画像に対応する画像データを画像ＩＤ情報（例えば番号）に対応付けて管理する（言い換えれば、全体管理部２０は、各観光スポットに関連し撮像部１２による撮像日時より以前の時間に関する画像データを画像ＩＤ情報に対応付けて蓄積するデータベースとして機能する。）とともに、固定端末６Ｄの管理部１４Ｄに、対応する観光スポットに関連する過去の画像データを画像ＩＤ情報に対応付けて管理させてもよい（言い換えれば、管理部１４Ｄは、全体管理部２０で管理された画像データに含まれ対応する観光スポットに関連する画像データを画像ＩＤ情報に対応付けて蓄積するデータベースとして機能する。）。この場合、固定端末６Ｄの送信部１６は、過去画像に対応する画像データそのものでなく画像ＩＤ情報のみをサーバ８Ｄに送信する（なお、送信部１６は、現在の画像に関する画像データについてはそのままサーバ８Ｄに送信する。）。
【００５０】
また、本実施形態では、現在より以前の過去の画像をアルバムに加えることができるようにしているが、現在よりも先の未来の画像（未来予想画像）を加えることができるようにしてもよい。例えば、現在の画像が未完成の建物あるいは建設予定地に関するものであれば未来の画像は完成後の建物に関するものである。
【００５１】
実施の形態６．
図１３〜１５はそれぞれ、本発明に係るアルバム作成システムの実施の形態６、該システムの各固定端末、およびサーバを示す。本実施形態に係るアルバム作成システム５０は、複数の観光スポットを含む観光地に設置され観光者が既に訪問し終わったサーバが、未訪問の別の観光地に設置されたサーバに対し、観光者の嗜好に関する情報を提供する。本実施形態において、各固定端末６Ｅは、実施の形態２に係る固定端末６Ａ（図５）と類似しているが、実施の形態２と異なりサーバ８Ｅとの通信を行うために送信部１６とともに受信部５１を備える。
【００５２】
サーバ８Ｅは、ネットワークＮ’を介して互いに接続されている。各サーバ８Ｅは、実施の形態１に係るサーバ８（図２）の構成に加えて、観光者の嗜好を解析（言い換えれば、観光者の嗜好の情報を導出）するための嗜好解析部５２、訪問済みの観光スポットに設置された他のサーバの嗜好解析部で解析した情報に基づいて（未訪問の観光スポットに設置されたサーバが配置された）観光地の経路情報を作成する経路作成部５４、およびネットワークＮ’を介して他のサーバと通信を行うための通信部５６を備える。本実施形態において、観光者の嗜好とは、観光スポットの種類（例えば城、旧跡など）に応じた観光者の好みを定量化あるいは定性化した指標である。経路情報は、例えば、他の観光スポットまでの経路であり、各観光者の嗜好に応じたものである。
【００５３】
嗜好解析部５２は、対応するサーバ８Ｅが配置された観光地で観光者がどのような行動をとったかを、観光者が訪問した観光スポット、観光経路、および／または撮像画像データに基づいて解析するようになっている。観光者がどの観光スポットを訪問したかは、固定端末６Ｅの無線受信部１０が観光者の携帯する携帯装置４からＩＤ情報を示す信号を受信したという情報を、送信部１６を介してサーバ８Ｅに送信することで判定することができる。この訪問情報は、固定端末６Ｅから適宜サーバ８Ｅに送信され、全体管理部２０で管理される。観光スポットで撮像を行った場合も、撮像画像データが固定端末６Ｅからサーバ８Ｅに送信されるため、観光者が該固定端末が配置された観光スポットを訪問したことを判定できる。そこで、嗜好解析部５２は、ある観光スポットが訪問された場合に撮像の有無により該観光スポットに対する観光者の嗜好の度合いを変更するようにしてもよい。観光者がどのような経路を通ったかは、観光者が観光スポットを訪問した際に固定端末６Ｅの無線受信部１０が観光者の携帯する携帯装置４からＩＤ情報を示す信号を受信する時刻、あるいは、撮像時刻に関する情報を送信部１６を介してサーバ８Ｅに送信することにより判定することができる。
【００５４】
嗜好解析部５２による観光スポット（すなわち地点ＩＤ情報）に基づいた観光者の嗜好に関する情報の導出は例えば次のように行う。嗜好解析部５２は、訪問した各観光スポットに関する詳細説明等のテキスト（これは、全体管理部２０に管理される。）に含まれる形態素（例えば、「城」、「家屋」といった言葉）を抽出し、ＴＦＩＤＦ(Term Frequency Inverse Document Frequency)により形態素を重み付けし、重みの大きな形態素を観光者の嗜好情報として導出する。代わりに、テキストマイニングの手法を利用することも可能である。以下では、観光者が訪問し終わった観光地に設置されたサーバ８Ｅをサーバ８Ｅａ、次に訪問する観光地に設置されたサーバ８Ｅをサーバ８Ｅｂとして説明する。
【００５５】
観光者が訪問した観光地に設置したサーバ８Ｅａの通信部５６は、適当なタイミング、例えばアルバム出力を終了した後に、嗜好解析部５２が導出した観光者の嗜好情報を携帯装置４のＩＤ情報とともに未訪問の観光地に設置したサーバ８Ｅｂの通信部５６に送信する。未訪問の観光地は、例えば、ユーザが次に訪問する観光地をサーバ８Ｅａに入力することで判定するようにしてもよい。代わりに、未訪問であるか否かにかかわらずサーバ８Ｅａから近隣の一つまたは複数の観光地のサーバに嗜好情報および携帯装置４のＩＤ情報を送信するようにしてもよい。
【００５６】
観光者の嗜好情報を通信部５６を介して受信したサーバ８Ｅｂは、経路作成部５４で観光者の嗜好に合った経路情報を作成する。上述したように、サーバ８ＥｂとネットワークＮを介して接続された固定端末６Ｅは、送信部１６および受信部５１を備え、送信部１６は、無線受信部１０が観光者の携帯した携帯装置４から装置ＩＤ情報を受けると、サーバ８Ｅｂに経路情報を要求する指令を送信するようになっている。サーバ８Ｅｂの通信部５６または図示しない送信部は、固定端末６Ｅからの指令を受けて固定端末の受信部５１に対し経路情報を送信するようになっている。固定端末６Ｅの表示部３０は経路情報を表示するようになっている。したがって、観光者がサーバ８Ｅｂの設置された観光地を訪問し、該観光地の観光スポットに到着すると、固定端末６Ｅの表示部３０に経路情報が表示されることになる。なお、サーバの通信部５６を他のサーバとともに固定端末との通信を行うように構成することで、受信部１９は省略できる（固定端末６Ｅの送信部１６および受信部５１は請求項１１の第１の通信ユニットに対応し、サーバ８Ｅの通信部５６および受信部１９は請求項１１の第２の通信ユニットに対応する。）。
【００５７】
なお、サーバ８Ｅｂの嗜好解析部５２は、サーバ８Ｅａの嗜好解析部５２で得られた観光者の嗜好と、サーバ８Ｅｂが設置された観光地での観光者の行動とに基づいて、新たに観光者の嗜好情報を導出する。
【００５８】
本実施形態ではアルバムは観光地毎に出力するようにしてあるが、代わりに、サーバ８Ｅａ，８Ｅｂが設置された２つの観光地（一般には複数の観光地）を観光者が訪問した後で観光者から指示を受けてアルバムが出力されるようにしてもよい。この場合、サーバ８Ｅａのアルバム作成部２６で作成したアルバムデータをサーバ８Ｅｂに送信する必要がある。
【００５９】
本実施形態によれば、観光者は、訪問済みの観光地での観光者の嗜好を考慮した経路情報が提示されるので効率よく好みの観光スポットを観光することができ、その結果、観光者の嗜好に合ったアルバムを作成できる。
【００６０】
本実施形態では、各サーバ８Ｅの設置地点でアルバムを観光者に提供するようにしたが、代わりに、各観光地で得られるアルバムデータあるいは複数の観光地を訪問した後で得られるアルバムデータをメールに添付して端末に送るようにしてもよい。代わりに、アルバムデータを添付せずにアルバムデータに関連する情報のみ（例えばアルバムデータが保存されるＵＲＬなど）を端末に送るようにしてもよい。
【００６１】
本実施形態において、実施の形態３、４のように入力部を介してユーザＩＤ情報を入力させるようにしてもよい。この場合、ユーザに複数の観光地にわたって同一のユーザＩＤ情報（例えば、同一の英数字）を入力させる必要がある。
【００６２】
実施の形態７．
図１６は、本発明に係るアルバム作成システムの実施の形態７を示す。本実施形態に係るアルバム作成システム６０は、各観光スポットＳ（図の例では、Ｓ−１〜Ｓ−Ｍ：Ｍは２以上の整数）に配置された無線送信装置６２（図の例では、６２−１〜６２−Ｍ）、観光者が携帯する携帯端末６４、およびサーバ８Ｆを備える。
【００６３】
本実施形態では、上記実施形態と異なり、各観光スポットＳには、固定端末ではなく例えばパッシブ型のＲＦＩＤタグなどの無線送信装置６２のみを配置する。無線送信装置６２は、観光スポットにある観光対象（例えば建物、史跡、植物など）自体、または、その近傍に置かれた物体（例えば、観光対象の名称等を示す標識）に取り付けるなどして配置する。
【００６４】
携帯端末６４は、図１７に示すように、制御部６６、無線受信部６８、管理部７０、表示部７２、および無線通信部７４を備える。携帯端末６４は、例えば、観光地に到着した観光者に貸し出されるものであり、貸し出し時には通常、観光者の個人情報（例えば、名前、住所など）が登録される。携帯端末６４は、観光地で貸し出す代わりに、観光者が所持する例えばＰＤＡに所定のプログラムをダウンロードさせるとともに、ＲＦＩＤタグを内蔵したＩＣカードを貸し出して該カードをＰＤＡの拡張スロットに装着することにより携帯端末として使用することもできる。
【００６５】
制御部６６は、無線受信部６８、管理部７０、表示部７２、および無線通信部７４と接続され、携帯端末６４全体を制御し各種制御信号を作成するためのものである。
【００６６】
無線受信部（請求項１２の第１の無線受信部に対応）６８は、無線送信装置６２に対応したリーダで、観光者が携帯する無線受信部６８の所定の受信エリアに無線送信装置６２が位置する際に無線送信装置から装置ＩＤ情報（観光スポットＳを特定するための情報）を示す信号を受信するようになっている。
【００６７】
管理部７０は、メモリやクロック等を備え、観光地の各観光スポットＳに関連する情報（各観光スポットに固有の情報で、例えば歴史や他の観光スポットまでの経路）を無線送信装置６２の装置ＩＤ情報に対応付けて管理するようになっている（言い換えれば、管理部７０は、各観光スポットに関連する情報を無線送信装置６２の装置ＩＤ情報に対応付けて蓄積する情報蓄積部として機能する。）。管理部７０はまた、携帯端末６４のＩＤ情報（端末ＩＤ情報）を管理するようにしてある。
【００６８】
表示部７２は、管理部７０からの情報に基づいて観光スポットＳの情報を表示するためのものである。この目的のため、制御部６６は、無線受信部６８が無線送信装置６２からＩＤ情報を示す信号を受信すると、管理部７０を参照して対応する観光スポットＳに関連する情報を表示部７２に送出するようになっている。
【００６９】
無線通信部（請求項１２の無線送信部に対応）７４は、サーバ８Ｆと無線通信を行うためのもので、所定の距離内にあるサーバから所定の信号を受けると、管理部７０に管理された、携帯端末６４のＩＤ情報に対応付けた無線送信装置６２のＩＤ情報および無線受信部６８が無線送信装置６２からＩＤ情報を示す信号を受信した日時をサーバに送信するようになっている。
【００７０】
サーバ８Ｆは、実施の形態１のサーバ８に類似したもので、制御部１８、無線通信部７８、全体管理部２０Ｆ、画像選択部２４Ｆ、アルバム作成部２６Ｆ、およびアルバム出力部２８を備える。
【００７１】
無線通信部７８は、携帯端末６４と無線通信を行うためのもので、携帯端末を携帯する観光者がサーバの設置地点の所定の通信エリアに位置する際に、該観光者が携帯する携帯端末に対し所定の信号を発信するようになっている。無線通信部７８（請求項１２の第２の無線受信部に対応）はまた、上記所定の信号を受信した携帯端末６４から、該携帯端末のＩＤ情報、並びに、管理部に管理された（各観光スポットに配置された）無線送信装置６２のＩＤ情報および該ＩＤ情報を示す信号を無線受信部６８が受信した日時の情報を受信するようになっている。このとき、制御部１８は、携帯端末６４のＩＤ情報、各観光スポットに配置された無線送信装置６２のＩＤ情報、および上記日時を画像選択部２４Ｆに送出するようになっている。本実施形態では、携帯端末６４とサーバ８Ｆは、ＲＦＩＤ、ＺｉｇＢｅｅＴＭ、ＢｌｕｅｔｏｏｔｈＴＭなどを利用して近距離無線通信が行われるようになっている。代わりに、無線ＬＡＮを利用して遠距離無線通信を行うようにしてもよい。ＲＦＩＤを利用する場合、無線通信部７４を観光スポットに配置された無線送信装置６２に対応したリーダとしての機能を持たせ、これにより無線受信部６８を省略するようにしてもよい。
【００７２】
全体管理部２０Ｆは、各観光スポットＳに関する画像を管理するためのもので、無線送信装置６２のＩＤ情報と対応付けて画像データを蓄積するためのデータベースとして機能する。全体管理部２０Ｆはまた、無線送信装置６２のＩＤ情報に対応付けた観光スポットＳに関連する情報を管理するようになっている。なお、アルバム作成に利用するために、実施の形態１と同様に、全体管理部２０Ｆに、携帯端末のＩＤ情報を観光者の個人情報と対応付けて管理させるようにしてもよい。
【００７３】
画像選択部２４Ｆは、制御部１８から各無線送信装置６２のＩＤ情報を受けると、全体管理部２０Ｆに管理された各観光スポットＳに関する画像データから、上記ＩＤ情報に対応する画像データを抽出するようになっている。このとき、画像選択部２４Ｆは、抽出した画像データとともに、携帯端末６４のＩＤ情報、各無線送信装置６２のＩＤ情報、および上記日時をアルバム作成部２６Ｆに送出するようにしてある。
【００７４】
アルバム作成部２６Ｆは、特定の観光者が携帯する携帯端末６４のＩＤ情報に対応付けた、複数の画像データ、各画像データに対応付けた無線送信装置６２のＩＤ情報、および上記日時を受けると、全体管理部２０Ｆに管理された無線送信装置６２のＩＤ情報に対応付けた観光スポットＳに関連する情報を参照して、アルバムデータを作成するようになっている。
【００７５】
かかる構成を備えたアルバム作成システム６０において、携帯端末６４を携帯した観光者が観光スポットＳに到着すると、携帯端末の無線受信部６８は、無線送信装置６２からＩＤ情報を示す信号を受信する（無線送信装置６２は、パッシブ型のＲＦＩＤタグの場合、携帯端末６４から電波を受け、これにより電力を得て上記信号を発信する。）。このとき、制御部６６は、管理部７０に管理された、無線送信装置６２のＩＤ情報に対応付けた情報（観光スポットＳに関連する情報）を表示部７２に送出する。その結果、表示部７２には上記情報が表示される。
【００７６】
観光者が各観光スポットＳを巡回し観光地の観光を終えてサーバ８Ｆが設置された地点に到着すると、サーバの無線通信部７８は所定の信号を発信する。携帯端末６４の制御部６６は、無線通信部７４が上記所定の信号を受信すると、管理部７０に管理された、携帯端末６４のＩＤ情報に対応付けた各無線送信装置６２のＩＤ情報（各観光スポットに対応）および無線受信部６８が各無線送信装置からＩＤ情報を示す信号を受信した日時をサーバ８Ｆに送信する。
【００７７】
サーバ８Ｆの制御部１８は、無線通信部７８が携帯端末６４のＩＤ情報、並びに、各無線送信装置６２のＩＤ情報および該情報を示す信号を各無線受信部６８が受信した日時の情報を受信すると、これらの情報を画像選択部２４Ｆに送出する。画像選択部２４Ｆは、各無線送信装置６２のＩＤ情報に基づいて、全体管理部２０Ｆに管理された各観光スポットＳに関する画像データから対応する画像データを抽出し、抽出画像データとともに、携帯端末６４のＩＤ情報、無線送信装置６２のＩＤ情報、および上記日時をアルバム作成部２６Ｆに送出する。その結果、アルバム作成部２６Ｆは、全体管理部２０Ｆに管理された無線送信装置６２のＩＤ情報に対応付けた観光スポットＳに関連する情報を参照して、アルバムデータを作成する。そして、アルバムデータ出力部２８は、アルバム作成部２６Ｆで作成したアルバムデータに基づいてアルバムを出力し、観光者はアルバムを受け取ることになる。
【００７８】
本実施形態によれば、観光スポットＳにはＲＦＩＤタグなどの無線送信装置６２を設けるだけで、観光スポットの画像を含むアルバムを観光者に提供できる。
【００７９】
実施の形態８．
図１９は、本発明に係るアルバム作成システムの実施の形態８を示す。本実施形態に係るアルバム作成システム８０は、観光者が携帯する携帯端末６４Ｇ、各観光スポット（地点）Ｓに配置された固定端末６Ｇ、サーバ８Ｇに加えて、観光スポットＳ内にある例えば植物などの観光対象Ｘ（Ｘ−１〜Ｘ−Ｌ：Ｌは１以上の整数）自体、または、その近傍に置かれた物体（例えば、観光対象の名称等を示す標識）に取り付けられた、例えばパッシブ型のＲＦＩＤタグなどの一つまたはそれ以上の無線送信装置８２（図の例では、８２−１〜８２−Ｌ）をさらに備える。本実施形態は、観光者が観光スポットＳ内で訪れたり近くを通ったりした観光対象Ｘの情報を固定端末６Ｇで観光者に表示するためのものである。
【００８０】
図２０に示すように、携帯端末６４Ｇは、制御部６６、無線受信部６８Ｇ、管理部７０Ｇ、および無線通信部７４Ｇを備える。携帯端末６４Ｇは、例えば、観光地に到着した観光者に貸し出されるものであり、貸し出し時には通常、観光者の個人情報（例えば、名前、住所など）が登録される。携帯端末６４Ｇは、観光地で貸し出す代わりに、観光者が所持する例えば携帯電話に所定のプログラムをダウンロードさせるとともに、ＲＦＩＤタグを内蔵したＩＣカードを貸し出して該カードを携帯電話の拡張スロットに装着することにより携帯端末として使用することもできる。
【００８１】
無線受信部（請求項１５の第１の無線受信部に対応）６８Ｇは、無線送信装置８２に対応したリーダで、観光者が携帯する無線受信部６８Ｇの所定の受信エリアに無線送信装置８２が位置する際に無線送信装置から装置ＩＤ情報（観光対象Ｘを特定するための情報）を示す信号を受信するようになっている。
【００８２】
管理部７０Ｇは、携帯端末６４ＧのＩＤ情報（端末ＩＤ情報）を管理するようにしてある。管理部７０Ｇはまた、無線送信装置８２から受信した装置ＩＤ情報を管理（記憶）するようにしてある。
【００８３】
無線通信部（請求項１５の無線送信部に対応）７４Ｇはまた、固定端末６Ｇと無線通信を行うためのもので、所定の距離内にある固定端末６Ｇから所定の信号を受けると、管理部７０Ｇに管理された、無線送信装置８２のＩＤ情報を携帯端末６４ＧのＩＤ情報とともに固定端末６Ｇに送信するようになっている。
【００８４】
無線通信部７４Ｇはまた、サーバ８Ｇと無線通信を行うようことができるようにしてあり、所定の距離内にあるサーバから所定の信号を受けると、管理部７０Ｇに管理された携帯端末６４ＧのＩＤ情報をサーバに送信するようになっている。
【００８５】
図２１に示すように、固定端末６Ｇは、制御部９、無線通信部８４、管理部１４Ｇ、表示部３０Ｇ、および送信部１６Ｇを備える。
【００８６】
無線通信部（請求項１５の第２の無線受信部に対応）８４は、携帯端末６４Ｇと無線通信を行うためのもので、携帯端末を携帯する観光者が固定端末６Ｇの設置地点の所定の通信エリアに位置する際に、該観光者が携帯する携帯端末に対し所定の信号を発信するようになっている。無線通信部８４はまた、上記所定の信号を受信した携帯端末６４Ｇから、管理部７０Ｇに管理された、該携帯端末のＩＤ情報並びに（各観光対象Ｘに対応する）無線送信装置８２のＩＤ情報を受信するようになっている。
【００８７】
管理部１４Ｇは、観光スポットＳの各観光対象Ｘに関連する情報（各観光対象Ｘに固有の情報で、例えば歴史などの詳細説明）（請求項１５の所定の情報に対応）を無線送信装置８２の装置ＩＤ情報に対応付けて管理するようになっている（言い換えれば、管理部１４Ｇは、各観光対象に関連する情報を無線送信装置８２の装置ＩＤ情報に対応付けて蓄積する情報蓄積部として機能する。）。
【００８８】
管理部１４Ｇはまた、固定端末６ＧのＩＤ情報（地点ＩＤ情報）を管理するようになっている。
【００８９】
表示部３０Ｇは、観光対象Ｘの情報を表示するためのものである。この目的のため、制御部９は、無線通信部８４が携帯端末６４Ｇの無線通信部７４Ｇから（携帯端末のＩＤ情報とともに）無線送信装置８２のＩＤ情報を示す信号を受信すると、管理部１４Ｇを参照して対応する観光対象Ｘに関連する情報を表示部３０Ｇに送出するようになっている。
【００９０】
送信部１６Ｇは、無線通信部８４が受信した携帯端末６４ＧのＩＤ情報を管理部１４Ｇに管理された固定端末６ＧのＩＤ情報（地点ＩＤ情報）に対応付けてサーバ８Ｇに送信するようになっている。
【００９１】
図２２を参照して、サーバ８Ｇは、実施の形態７のサーバ８Ｆに類似したもので、制御部１８、受信部１９Ｇ、無線通信部７８Ｇ、全体管理部２０Ｇ、画像選択部２４Ｇ、アルバム作成部２６Ｇ、およびアルバム出力部２８を備える。
【００９２】
受信部１９Ｇは、固定端末６Ｇの送信部１６Ｇから携帯端末６４ＧのＩＤ情報および固定端末６ＧのＩＤ情報（地点ＩＤ情報）を受信するようになっている。
【００９３】
無線通信部７８Ｇは、携帯端末６４Ｇと無線通信を行うためのもので、所定の距離内にある携帯端末６４Ｇに対し所定の信号を発信し、これに応じて携帯端末から携帯端末６４ＧのＩＤ情報を受信するようになっている。このとき、制御部１８は、携帯端末６４ＧのＩＤ情報を画像選択部２４Ｇに送出するようになっている。
【００９４】
全体管理部２０Ｇは、各観光スポットＳに関する画像を管理するためのもので、固定端末６ＧのＩＤ情報（地点ＩＤ情報）と対応付けて画像データを蓄積するためのデータベースとして機能する。全体管理部２０Ｇはまた、固定端末６ＧのＩＤ情報に対応付けた観光スポットＳに関連する情報（例えば、観光スポットＳの歴史などの詳細説明）を管理するようになっている。全体管理部２０Ｇはさらに、固定端末６Ｇから送信された携帯端末６４ＧのＩＤ情報と固定端末６ＧのＩＤ情報との対応付け情報を管理（記憶）するようにしてある。
【００９５】
画像選択部２４Ｇは、制御部１８から携帯端末６４ＧのＩＤ情報を受けると、全体管理部２０Ｇに管理された、携帯端末６４ＧのＩＤ情報と固定端末６ＧのＩＤ情報との対応付け、および、各観光スポットＳに関する画像データから、携帯端末６４ＧのＩＤ情報に関連する画像データを抽出するようになっている。このとき、画像選択部２４Ｇは、抽出した画像データとともに、携帯端末６４ＧのＩＤ情報、および各固定端末６ＧのＩＤ情報をアルバム作成部２６Ｇに送出するようにしてある。
【００９６】
アルバム作成部２６Ｇは、特定の観光者が携帯する携帯端末６４ＧのＩＤ情報に対応付けた、複数の画像データ、および各画像データに対応付けた固定端末６ＧのＩＤ情報を受けると、全体管理部２０Ｇに管理された固定端末６ＧのＩＤ情報に対応付けた観光スポットＳに関連する情報を参照して、アルバムデータを作成するようになっている。
【００９７】
かかる構成を備えたアルバム作成システム８０において、観光スポットＳ内で携帯端末６４Ｇを携帯した観光者が一つまたはそれ以上の観光対象Ｘの近くにいたり近くを通ったりすると、携帯端末の無線受信部６８Ｇは、各無線送信装置８２からＩＤ情報を示す信号を受信する（無線送信装置８２は、パッシブ型のＲＦＩＤタグの場合、携帯端末６４Ｇから電波を受け、これにより電力を得て上記信号を発信する。）。このとき、制御部６６は、管理部７０Ｇに各無線送信装置８２のＩＤ情報を記録する。
【００９８】
その後、観光者が固定端末６Ｇが設置された地点に到着すると、固定端末６Ｇの無線通信部８４は、携帯端末６４のＩＤ情報および無線送信装置８２のＩＤ情報を表す信号を受信する。そして、固定端末６Ｇの制御部９は、管理部１４Ｇを参照して対応する観光対象Ｘに関連する情報を表示部３０Ｇに送出する。したがって、観光スポットＳに位置する観光対象Ｘの情報を観光者に提供できる。
【００９９】
一方、固定端末６Ｇの送信部１６Ｇは、無線通信部８４が受信した携帯端末６４ＧのＩＤ情報を、管理部１４Ｇに管理された固定端末６ＧのＩＤ情報に対応付けてサーバ８Ｇに送信する。制御部１８は、携帯端末６４ＧのＩＤ情報と固定端末６ＧのＩＤ情報との対応付けを、全体管理部２０Ｇに記録する。
【０１００】
観光者が各観光スポットＳを巡回し観光地の観光を終えてサーバ８Ｇが設置された地点に到着すると、サーバの無線通信部７８Ｇは所定の信号を発信する。携帯端末６４Ｇの制御部６６は、無線通信部７４Ｇが上記所定の信号を受信すると、管理部７０Ｇに管理された携帯端末６４ＧのＩＤ情報をサーバ８Ｇに送信する。
【０１０１】
サーバ８Ｇの制御部１８は、無線通信部７８Ｇが携帯端末６４ＧのＩＤ情報を受信すると、該情報を画像選択部２４Ｇに送出する。画像選択部２４Ｇは、携帯端末６４ＧのＩＤ情報に基づいて、全体管理部２０Ｇに管理された、携帯端末６４ＧのＩＤ情報と固定端末６ＧのＩＤ情報との対応付け情報および各固定端末に対応付けられた観光スポットＳに関する画像データに基づいて、対応する画像データを抽出し、抽出画像データとともに、携帯端末６４ＧのＩＤ情報および固定端末６ＧのＩＤ情報をアルバム作成部２６Ｇに送出する。その結果、アルバム作成部２６Ｇは、全体管理部２０Ｇに管理された固定端末６ＧのＩＤ情報に対応付けた観光スポットＳに関連する情報を参照して、アルバムデータを作成する。そして、アルバムデータ出力部２８は、アルバム作成部２６Ｇで作成したアルバムデータに基づいてアルバムを出力し、観光者はアルバムを受け取ることになる。
【０１０２】
固定端末６Ｇにおいて観光者に観光対象の情報を提供する手段として、表示部３０Ｇの代わりに音声出力部（例えばスピーカ）を用いてもよい。この場合、管理部１４Ｇに音声データを管理させる。
【０１０３】
本実施形態において、実施の形態７と同様に携帯端末６４Ｇの無線受信部６８Ｇが無線送信装置８２のＩＤ情報を示す信号を受信した日時を利用したり、固定端末６Ｇの無線通信部７８Ｇが携帯端末６４ＧのＩＤ情報を示す信号を受信した日時を利用して、アルバム作成部２６Ｇによるアルバム作成を行うようにしてもよい。
【０１０４】
本実施形態では、固定端末６Ｇには撮像部を設けていないが、設けてもよい。この場合、サーバ８Ｇの全体管理部２０Ｇに各固定端末６ＧのＩＤ情報に対応付けた画像データ（観光スポットＳに関する画像データ）を蓄積する代わりに、撮像部で撮像した画像データを携帯端末６４ＧのＩＤ情報に対応付けて送信部１６Ｇによりサーバ８Ｇに送信させ、これにより全体管理部２０Ｇに画像データおよび携帯端末６４のＩＤ情報を記録させる。
【図面の簡単な説明】
【０１０５】
【図１】本発明に係るアルバム作成システムの実施の形態１を示す全体構成図。
【図２】図１の固定端末を示すブロック図。
【図３】図１のサーバを示すブロック図。
【図４】図３のアルバム作成部により編集されるアルバムの例を示す図。
【図５】本発明に係るアルバム作成システムの実施の形態２において、固定端末を示すブロック図。
【図６】本発明に係るアルバム作成システムの実施の形態３において、固定端末を示すブロック図。
【図７】本発明に係るアルバム作成システムの実施の形態３において、サーバを示すブロック図。
【図８】本発明に係るアルバム作成システムの実施の形態４において、固定端末を示すブロック図。
【図９】本発明に係るアルバム作成システムの実施の形態４において、サーバを示すブロック図。
【図１０】本発明に係るアルバム作成システムの実施の形態５において、固定端末を示すブロック図。
【図１１】本発明に係るアルバム作成システムの実施の形態５において、サーバを示すブロック図。
【図１２】本発明に係るアルバム作成システムの実施の形態５において、図１１のアルバム作成部により編集されるアルバムの例を示す図。
【図１３】本発明に係るアルバム作成システムの実施の形態６を示す全体構成図。
【図１４】本発明に係るアルバム作成システムの実施の形態６において、固定端末を示すブロック図。
【図１５】本発明に係るアルバム作成システムの実施の形態６において、サーバを示すブロック図。
【図１６】本発明に係るアルバム作成システムの実施の形態７を示す全体構成図。
【図１７】本発明に係るアルバム作成システムの実施の形態７において、携帯端末を示すブロック図。
【図１８】本発明に係るアルバム作成システムの実施の形態７において、サーバを示すブロック図。
【図１９】本発明に係るアルバム作成システムの実施の形態８を示す全体構成図。
【図２０】本発明に係るアルバム作成システムの実施の形態８において、携帯端末を示すブロック図。
【図２１】本発明に係るアルバム作成システムの実施の形態８において、固定端末を示すブロック図。
【図２２】本発明に係るアルバム作成システムの実施の形態８において、サーバを示すブロック図。
【符号の説明】
【０１０６】
２，５０，６０  アルバム作成システム
４  携帯装置（無線送信装置）
１４Ｄ  管理部（データベース、第２のデータベース）
１７  受信エリア
２０  全体管理部（第１のデータベース）
３２  バイオメトリックス情報入力部（バイオメトリックス情報取得部）
６８、６８Ｇ  無線受信部（第１の無線受信部）
７４、７４Ｇ  無線通信部（無線送信部）
７８  無線通信部（第２の無線受信部）
８４  無線通信部（第２の無線受信部）
【図１】
2006202103.tif 000003
【図２】
2006202103.tif 000004
【図３】
2006202103.tif 000005
【図４】
2006202103.tif 000006
【図５】
2006202103.tif 000007
【図６】
2006202103.tif 000008
【図７】
2006202103.tif 000009
【図８】
2006202103.tif 000010
【図９】
2006202103.tif 000011
【図１０】
2006202103.tif 000012
【図１１】
2006202103.tif 000013
【図１２】
2006202103.tif 000014
【図１３】
2006202103.tif 000015
【図１４】
2006202103.tif 000016
【図１５】
2006202103.tif 000017
【図１６】
2006202103.tif 000018
【図１７】
2006202103.tif 000019
【図１８】
2006202103.tif 000020
【図１９】
2006202103.tif 000021
【図２０】
2006202103.tif 000022
【図２１】
2006202103.tif 000023
【図２２】
2006202103.tif 000024